(57)【要約】【目的】  支柱壁の肉厚を厚くすることなくデッキボードの変形量を小さくした合成樹脂製パレットを提供することを目的とする。【構成】  上部デッキボードと下部デッキボードとを中空構造の支柱部で連結し、前記支柱部と上下デッキボードで囲まれた空隙をフォーク差込孔としたパレットにおいて、パレットの側端部にある支柱部のフォーク差込孔に面する支柱壁の内側に、フォーク差込方向と直交する補強リブのうち支柱壁に接続する部分を支柱部と同じ高さの溶着リブとするとともに、前記溶着リブの先端部に支持溶着リブを設けたことを特徴とする。前記補強リブは、断面Ｌ字状、断面への字状、断面Ｔ字状、断面Ｙ字状等のいずれであってもよい。【選択図】        図２
2006341856.tif 000002
【特許請求の範囲】
【請求項１】
上部デッキボードと下部デッキボードとを中空構造の支柱部で連結し、前記支柱部と上下デッキボードで囲まれた空隙をフォーク差込孔としたパレットにおいて、パレットの側端部にある支柱部のフォーク差込孔に面する支柱壁の内側に、フォーク差込方向と直交する補強リブのうち支柱壁に接続する部分を支柱部と同じ高さの溶着リブとするとともに、前記溶着リブの先端部に突出した支持溶着リブを設けたことを特徴とする合成樹脂製パレット。
【請求項２】
補強リブを溶着リブと突出した支持溶着リブとによって断面Ｌ字状に形成したことを特徴とする請求項１に記載の合成樹脂製パレット。
【請求項３】
補強リブを溶着リブと突出した支持溶着リブとによって断面への字状に形成したことを特徴とする請求項１に記載の合成樹脂製パレット。
【請求項４】
補強リブを溶着リブと突出した支持溶着リブとによって断面Ｔ字状に形成したことを特徴とする請求項１に記載の合成樹脂製パレット。
【請求項５】
補強リブを溶着リブと突出した支持溶着リブとによって断面Ｙ字状に形成したことを特徴とする請求項１に記載の合成樹脂製パレット。
【発明の詳細な説明】
【技術分野】
【０００１】
この発明は荷物の保管、運搬に使用するフォークリフト用の合成樹脂製パレットに係り、詳しくは、支柱部を中空構造とした合成樹脂製パレットに関する。
【背景技術】
【０００２】
荷物の保管、運搬に使用されるフォークリフト用の合成樹脂製パレットは、上部デッキボードと下部デッキボードを支柱部で連結し、支柱部間の空間をフォーク差込孔となし、支柱部は支柱壁を閉じた中空構造に形成される。これらの合成樹脂製パレットを製造するには、射出成型機による一体成型法と、予め支柱部の中間で分割成型した部品の分割面を突き合わせて溶着する溶着成型法とがある。これらのフォークリフト用パレットは種々の積み重ね方法において使用され、例えば平積み、段積み、あるいはラック積み等の積み重ね方法がある。ラック積みはパレットの両端部に台座をおいて支持するものである。
【０００３】
図６及び図７はラック積みの一例を示すもので、パレット１は上部デッキボード２と下部デッキボード３とを両側端部の支柱部４及びその中間に設けた中間支柱部５で連結し、前記支柱部と上下デッキボードで囲まれた空隙をフォーク差込孔６とした二方差しパレットである。パレット１は両側端部を台座７によって支持されている。前記ラック積みにおいて、パレット１に荷物を載置して矢印の方向に荷重がかかると支柱部４のフォーク差込孔６に面する支柱壁８の部分では、上下デッキボード２、３のたわみによってＳ字状に変形する。
【０００４】
このように支柱壁８がＳ字状に変形することによって、パレット１全体としては、図６に一点鎖線で示すように弓状に変形することになる。デッキボードが変形すると荷物を安定した状態で載置することができないばかりでなく、荷崩れのおそれがある。また、変形状態を長時間保持しておくと、パレットに永久変形が生じることになる。
【０００５】
これらの変形を防止する方法として、特開平８−２６８４３０号公報には、前記支柱部４のフォーク差込孔に面する部分の支柱壁８の内側に支柱部の全高さにわたって断面コ字状の閉じた補強リブを設けることが記載されている。
【特許文献１】特開平８−２６８４３０号公報
【発明の開示】
【発明が解決しようとする課題】
【０００６】
しかしながら、閉じた補強リブは、支柱壁を増強することになり変形を防止することができるものの、軽量化という点では必ずしも満足できるものではなかった。また、閉じた補強リブを形成するために、金型の構造が複雑になるという問題がある。そこで、種々試験を重ねたところ、材料を節約しパレット全体の軽量化を図るとともに、金型も単純化する構造を見出した。
【０００７】
この発明は上記課題を解決すべくなされたもので、支柱壁の内側に先端が突出した補強リブを溶着リブとすることによって、デッキボードの変形量を小さくした合成樹脂製パレットを提供することを目的とする。
【課題を解決するための手段】
【０００８】
上記目的を達成するために、この発明の請求項１に係る合成樹脂製パレットは、上部デッキボードと下部デッキボードとを中空構造の支柱部で連結し、前記支柱部と上下デッキボードで囲まれた空隙をフォーク差込孔としたパレットにおいて、パレットの側端部にある支柱部のフォーク差込孔に面する支柱壁の内側に、フォーク差込方向と直交する補強リブのうち支柱壁に接続する部分を支柱部と同じ高さの溶着リブとするとともに、前記溶着リブの先端部に突出した支持溶着リブを設けたことを特徴とする。前記補強リブは、溶着リブと突出した支持溶着リブとによって断面Ｌ字状に形成してもよいし、断面への字状に形成してもよいし、断面Ｔ字状に形成してもよいし、断面Ｙ字状に形成してもよい。
【発明の効果】
【０００９】
この発明に係る合成樹脂製パレットでは、支柱壁の変形を防止することにより、デッキボードのたわみを少なくすることができるとともに、支柱壁の肉厚を薄くすることができる。また、補強リブを連続しない突出した支持溶着リブとすることによって、材料を節約しパレットの重量を軽くすることができる。
【発明を実施するための最良の形態】
【００１０】
以下に、この発明の実施形態を図面に基づいて詳細に説明する。図１〜図３はこの発明の実施形態を示し、図１はパレットの左半分を示す正面図、図２は同じく水平断面図、図３は図２の一部を拡大した要部斜視図である。パレット１０は、上部デッキボード１１と下部デッキボード１２とを両端の支柱部１３及びその中間に設けた中間支柱部１４で連結し、前記上下デッキボード１１、１２と支柱部１３、１４で囲まれた空隙をフォーク差込孔１５とした二方差しパレットである。
【００１１】
前記上部デッキボード１１と下部デッキボード１２の表面はそれぞれ平滑に形成され、内側面に補強リブ１８が設けられている。前記補強リブ１８はフォーク差込方向の平行な補強リブ１８Ａとフォーク差込方向と直交する補強リブ１８Ｂによって格子状に形成されており、フォーク差込孔１５の入口近傍では補強リブ１８Ｂの間隔が狭く形成されている。
【００１２】
中間支柱部１４のフォーク差込孔１５に面する支柱壁１４Ａの内側には、補強リブ１８Ｂを延設するとともに、中間支柱部と同じ高さの溶着リブ２０としている。また、支柱部１３内と中間支柱部１４内には、補強リブ１８Ｂを数本おきに支柱と同じ高さの仕切壁２１とすることによって、支柱部１３と中間支柱部１４をそれぞれ複数の区室に分割している。
【００１３】
さらに、この発明では、最も応力を受ける支柱部１３、１３のフォーク差込孔に面する支柱壁１３Ａを補強することとした。支柱壁１３Ａの補強は、支柱壁１３Ａの内側に補強用溶着リブ２３を設けてなる。前記補強用溶着リブ２３は、図２及び図３に示すように、補強リブ１８Ｂの一部を支柱部１３と同じ高さの溶着リブ２３Ａとし、前記溶着リブ２３Ａの先端部に突出した支持溶着リブ２３Ｂを直角方向に設けた構成であって、断面Ｌ字状に形成されている。
【００１４】
前記補強用溶着リブ２３を支柱部と同じ高さの溶着リブとするとともに、溶着リブ２３Ａの先端部を突出した支持溶着リブ２３Ｂで固定することによって、溶着リブ２３Ａの変形が防止され、結果として支柱壁１３Ａの変形も防止されることになる。図４は、支柱壁１３Ａの変形状態を極端に示した説明図である。
【００１５】
即ち、支柱壁１３ＡがＳ字状に変形すると、支柱壁１３Ａの変形に伴って溶着リブ２３Ａも変形することになる。このとき、溶着リブ２３Ａの端部を抑えるものがないと全体が支柱壁１３Ａ側と同様に変形することになるが、直交する突出した支持溶着リブ２３Ｂが変形方向に対して抵抗することになるので変形を最小に抑えることができる。溶着リブ２３Ａは、突出した支持溶着リブ２３Ｂ側での変形が抑えられることによって支柱壁１３Ａ側の変形も小さくなり、ひいては支柱壁１３Ａの変形も小さくなる。
【００１６】
図５は、他の実施形態を示し、図５（ａ）は、補強リブ２４とした場合であり、溶着リブ２４Ａに対して突出した支持溶着リブ２４Ｂを斜め方向に設けてへの字状に形成してなる。また、図５（ｂ）は、補強リブ２５とした場合であり、突出した支持溶着リブ２５Ｂを溶着リブ２５Ａの両側に直交して設けてＴの字状に形成してなり、図５（ｃ）は、補強リブ２６とした場合であり、突出した支持溶着リブ２６Ｂを溶着リブ２６Ａの両側に斜めに設けてＹの字状に形成してなる。これらの補強リブ２４，２５，２６は、溶着リブの先端部を支持することによって変形を抑えることができる。
【００１７】
尚、上記実施形態では、補強用溶着リブ２３〜２６を支柱部１３のフォーク差込孔に面する支柱壁１３Ａにのみ設けたが、中間支柱部１４のフォーク差込孔に面する支柱壁にも設けることができるのは勿論である。また、補強用溶着リブ２３〜２６の数及び大きさは、支柱部の大きさや肉厚によって適宜決定すればよい。
【００１８】
また、上記実施例では二方差しパレットについて述べたが、四方差しパレットであってもよい。四方差しパレットでは、前記補強用溶着リブ２３〜２６は２方向のフォーク差込孔に面する部分の支柱壁に設けられることになる。
【図面の簡単な説明】
【００１９】
【図１】パレットの左半分を示す正面図である。
【図２】同じく水平断面図である。
【図３】要部を示す断面斜視図である。
【図４】変形状態を示す説明用断面斜視図である。
【図５】他の実施形態を示し、図５（ａ）はへの字状補強リブを、図５（ｂ）は、Ｔ字状補強リブ、図５（ｃ）は、Ｙ字状補強リブの要部平面図である。
【図６】パレットのラック積みの一例を示す説明用正面図である。
【図７】ラック積みにおけるパレットの変形を示す説明用断面図である。
【符号の説明】
【００２０】
１０：パレット
１１：上部デッキボード  
１２：下部デッキボード  
１３：両端支柱部
１４：中間支柱部  
１５：フォーク差込孔  
１８：補強リブ
【図１】
2006341856.tif 000003
【図２】
2006341856.tif 000004
【図３】
2006341856.tif 000005
【図４】
2006341856.tif 000006
【図５】
2006341856.tif 000007
【図６】
2006341856.tif 000008
【図７】
2006341856.tif 000009